(57)【要約】【課題】    門扉・フェンス・塀等の上部に忍返ユニットを簡単にしかも位置変更容易に据付けることができ、防犯効果を十分に高めることのできる忍返ユニット取付け用台座を提供する。【解決手段】    同一断面形状を有する形材によって形成した台座１に、異なった傾きで忍返ユニット２を据付け可能な複数の忍返ユニット据付面Ｓ１、Ｓ２を形成し、複数の忍返ユニットを据付ける。また、台座１の下部は門扉・フェンス・塀等の上部よりも幅広に形成し、笠木としても機能する。【選択図】        図１
2005194797.tif 000002
【特許請求の範囲】
【請求項１】
忍返ユニットを門扉・フェンス・塀等の上部に取付けるための台座であって、該台座に異なった傾きで忍返ユニットを据付け可能な複数の忍返ユニット据付面を形成したことを特徴とする忍返ユニット据付用台座。
【請求項２】
下部が門扉・フェンス・塀等の上部よりも幅広に形成され、門扉・フェンス・塀等の上部に覆い被せたことを特徴とする請求項１に記載の忍返ユニット据付用台座。
【請求項３】
長手方向にわたって同一断面形状を有する形材によって形成したことを特徴とする請求項１又は２に記載の忍返ユニット据付用台座。
【請求項４】
忍返ユニット据付面には係合溝が形成され、該係合溝に係合して忍返ユニットを取付けたことを特徴とする請求項１乃至３の何れかに記載の忍返ユニット据付用台座。
【発明の詳細な説明】
【技術分野】
【０００１】
外部からの侵入者を阻止する目的で門扉・フェンス・塀等の上部に所定の大きさに形成された忍返ユニットを据付けたものが知られている。本発明は、このような忍返ユニットを門扉・フェンス・塀等の上部に防犯効果を高めつつ、体裁良く据付けるための台座に関するものである。
【背景技術】
【０００２】
従来技術として特許文献１には、門扉・フェンス・塀等の上部に据付けた忍返ユニットが開示されている。特許文献１に示される忍返ユニットは、ビス・ボルト・釘等の固定手段を用いて忍返ユニットを据付けたものである。
【０００３】
このような忍返ユニットは、通常門扉・フェンス・塀等の上部に一列連設して据付けているだけなので、比較的簡単に忍返ユニットを乗越えることができ、十分な防犯効果を付与することができないものであった。
そこで、侵入阻止したい側に向けて忍返ユニットを傾斜させて据付ければ、忍返ユニットがオーバーハングした状態となり、防犯効果を高めることができるが、忍返ユニットを傾斜した状態で据付けると据付強度の低下を招くものであった。
【０００４】
また、忍返ユニットは固定手段を用いて直にブロック塀等の躯体に据付けているので、据付け後に位置を変更したい場合、躯体に固定した固定手段を切断するなどして取り除かなければならず、位置変更作業が甚だ煩雑なものであった。
【０００５】
【特許文献１】特開２００３−１８４３５４号公報
【発明の開示】
【発明が解決しようとする課題】
【０００６】
本発明の目的は、門扉・フェンス・塀等の上部に忍返ユニットを簡単にしかも位置変更容易に据付けることができ、防犯効果を十分に高めることのできる忍返ユニット据付用台座を提供することにある。
【課題を解決するための手段】
【０００７】
本発明者は、このような事情に鑑み鋭意検討を重ねた結果、忍返ユニットを門扉・フェンス・塀等の上部に取付けるための台座であって、該台座に異なった傾きで忍返ユニットを据付け可能な複数の忍返ユニット据付面を形成したことによって、所期の目的を達成したものである。
【０００８】
さらに、本発明忍返ユニット据付用台座は、下部が門扉・フェンス・塀等の上部よりも幅広に形成され、門扉・フェンス・塀等の上部に覆い被せたことにより、門扉・フェンス・塀等の笠木として作用し、外観を高揚することができる。
【０００９】
また、長手方向にわたって同一断面形状を有する形材によって形成したことにより、連続する忍返ユニット据付面を形成することができ、忍返ユニットを連設することができる。
【００１０】
また、忍返ユニット据付面には係合溝が形成され、該係合溝に係合して忍返ユニットを取付けたことにより、係合溝に沿って忍返ユニットの据付け位置の調整を簡単に行うことができると共に、台座には忍返ユニット据付用の螺子孔等を穿設していないので、台座内部への雨水の侵入を防ぐことができる。
【発明の効果】
【００１１】
本発明忍返ユニット取付け用台座によれば、異なった傾きで忍返ユニットを据付け可能な複数の忍返ユニット据付面を形成しているので、据付け角度の異なった複数の忍返ユニットを設けることができ、より一層の防犯効果を高めることができると共に、台座を介して門扉・フェンス・塀等の上部に据付けられるので、据付強度を低下することなく、忍返ユニットを安定して据付けることができる。
【発明を実施するための最良の形態】
【００１２】
以下、本発明を実施するための最良の形態を実施例に基づき説明する。
図１乃至図２は本発明忍返ユニット据付用台座の第一実施例であり、図中１は台座を表わし、アルミニウム製の押出し形材によって形成されている。図中Ｇは、台座１を取り付ける門扉・フェンス・塀等の躯体であり、適宜間隔をおいて躯体Ｇに下部を埋め込み固定されたアンカー部材Ａが設けられ、このアンカー部材Ａと台座１が螺子部材Ｂを介して連結されている。なお、本実施例においてはアンカー部材Ａによって台座１を固定しているが、アンカー部材Ａを用いることなく、螺子等の固定手段によって直に台座１を躯体Ｇに固定することも可能である。
【００１３】
台座１の下部は躯体Ｇの幅よりも大きく形成され、台座１の下部が躯体Ｇの上部に覆い被さっており、躯体Ｇの笠木として機能している。即ち、台座１によって躯体Ｇの上面を覆い隠し、台座１に降り注ぐ雨水は躯体Ｇの上面に溜まることはない。台座１には、複数（二つ）の忍返ユニット据付面が形成されている。一つは、頂部に形成された水平状の据付面Ｓ１であり、もう一つは、外方（侵入を遮断したい側）に向けて傾斜した据付面Ｓ２である。
【００１４】
図中２は忍返ユニットであり、等間隔に設けた剣先部２１を有するアルミニウム製鋳物によって形成されている。台座１の据付面Ｓ１、Ｓ２には係合溝１１が形成されており、該係合溝１１内には長手方向に移動自在とされた螺子部材３が設けられている。係合溝１１の係合片１１１と螺子部材３の頭部３１を係合することにより、螺子部材３は係合溝１１から抜け出すことなく、係合溝１１の長手方向に沿って移動自在となっている。
【００１５】
忍返ユニット２の基部２２には透孔２２１が形成されており、該透孔２２１に螺子部材３の螺子部３２を挿通し、内部に螺子孔が形成された袋状の雌螺子４によって忍返ユニット２が据付面Ｓ１、Ｓ２に締着される。螺子部材３は係合溝１１に沿って移動自在であるから、雌螺子４を弛めることにより、忍返ユニット２の据付位置を係合溝１１に沿って調整することができる。
【００１６】
このように、本発明忍返ユニット据付用台座１によれば、据付角度を変えた複数の忍返ユニット２を据付けることができるので、防犯効果を高めることができる。
【００１７】
図３乃至５は本発明忍返ユニット据付用台座１の第二乃至第四の実施例を表わし、第一実施例と同じ部分については同一符号を用いその説明を省略する。
図３乃至５の忍返ユニット据付用台座１には忍返ユニット２の据付面Ｓが頂部に形成されたＳ１とその両側部に形成されたＳ２、Ｓ３の合計三つ形成されている。従って、忍返ユニット２は三方向に向けて据付け可能であり、第一実施例と比較して防犯効果をさらに高めることができる。
また、第一実施例と同様に、台座１の下部は躯体Ｇの上部の幅よりも大きく形成され、躯体Ｇの上部に覆い被さっているので、躯体Ｇの笠木としても機能している。
【００１８】
なお、第二乃至第四の実施例における台座１と忍返ユニット２の連結構造は第一実施例と同様に、据付面Ｓに形成した係合溝１１に螺子部材３を係合し、忍返ユニット２に形成した透孔２２１に螺子部材３の螺子部３２を挿通し、雌螺子４によって締着するものである。
【００１９】
上記実施例において、台座１には二つ乃至三つの据付面Ｓを形成したが、四つ以上形成しても構わない。また、忍返ユニット２を据付ける据付面Ｓの傾斜角度も適宜変更し得るものである。
【図面の簡単な説明】
【００２０】
【図１】本発明忍返ユニット据付用台座の第一実施例における側面図
【図２】本発明忍返ユニット据付用台座の第一実施例における正面図
【図３】本発明忍返ユニット据付用台座の第二実施例における側面図
【図４】本発明忍返ユニット据付用台座の第三実施例における側面図
【図５】本発明忍返ユニット据付用台座の第四実施例における側面図
【符号の説明】
【００２１】
１      台座
２      忍返ユニット
３      螺子部材
１１      係合溝
Ｓ（Ｓ１、Ｓ２、Ｓ３）      据付面
【図１】
2005194797.tif 000003
【図２】
2005194797.tif 000004
【図３】
2005194797.tif 000005
【図４】
2005194797.tif 000006
【図５】
2005194797.tif 000007